(57)【要約】【課題】利用者が模様をアレンジすることが可能なレースを提供する。【解決手段】レース１ａは、帯状に形成されており、長手方向に沿って繰り返し連続的に形成された複数の主模様単位１０ａを備える。主模様単位１０ａは、隣接する主模様単位１０ａとの間が切断された場合にほつれが生じないように構成され、かつ、短手方向に沿って配置される複数の副模様単位１２ａを含んでいる。副模様単位１２ａは、隣接する副模様単位１２ａとの間が切断された場合にほつれが生じないように構成されている。【選択図】図１
0003179509.tif 000002
【実用新案登録請求の範囲】
【請求項１】
帯状に形成されたレースであって、
長手方向に沿って繰り返し連続的に形成された複数の主模様単位を備え、
前記主模様単位は、隣接する前記主模様単位との間が切断された場合にほつれが生じないように構成され、かつ、短手方向に沿って配置される複数の副模様単位を含み、
前記副模様単位は、隣接する前記副模様単位との間が切断された場合にほつれが生じないように構成されていることを特徴とするレース。
【請求項２】
請求項１に記載のレースにおいて、
前記主模様単位は、短手方向の端部に形成された環状部を含むことを特徴とするレース。
【考案の詳細な説明】
【技術分野】
【０００１】
本考案は、帯状に形成されたレースに関する。
【背景技術】
【０００２】
従来、帯状に形成されるとともに、模様単位（モチーフ）が長手方向に沿って繰り返し連続的に形成されるレース（トーションレース）が知られている（たとえば、特許文献１参照）。
【０００３】
このようなレースは、利用者により所望の長さに切断され、被服やカーテンなどの縁飾りとして利用される。したがって、このようなレースでは、隣接する模様単位の間で短手方向に切断されることが予め想定されており、その切断箇所からほつれが生じないようにされている。
【先行技術文献】
【特許文献】
【０００４】
【特許文献１】特開平１１−１２９０６号公報
【考案の概要】
【考案が解決しようとする課題】
【０００５】
しかしながら、従来のレースでは、長手方向に切断した場合に、その切断箇所からほつれが生じやすいという問題点がある。このため、利用者がレースの模様（形状）をアレンジすることが困難であるという問題点がある。
【０００６】
本考案は、上記の課題を解決するためになされたものであり、本考案の目的は、利用者が模様をアレンジすることが可能なレースを提供することである。
【課題を解決するための手段】
【０００７】
上記した目的を達成するために、本考案によるレースは、帯状に形成されたレースであって、長手方向に沿って繰り返し連続的に形成された複数の主模様単位を備える。主模様単位は、隣接する主模様単位との間が切断された場合にほつれが生じないように構成され、かつ、短手方向に沿って配置される複数の副模様単位を含んでいる。副模様単位は、隣接する副模様単位との間が切断された場合にほつれが生じないように構成されている。
【０００８】
このように構成することによって、隣接する主模様単位の間で短手方向に切断された場合に、ほつれが生じるのを抑制するとともに、隣接する副模様単位の間で長手方向に切断された場合にも、ほつれが生じるのを抑制することができる。これにより、ほつれが生じるのを抑制しながら、利用者がレースを所望の長さに切断するとともに、利用者がレースの模様（形状）をアレンジすることができる。
【０００９】
上記レースにおいて、主模様単位は、短手方向の端部に形成された環状部を含んでいてもよい。
【００１０】
このように構成すれば、環状部を用いてレースを被服やカーテンなどに縫い付けること、または、環状部から編み出すことができる。
【考案の効果】
【００１１】
本考案のレースによれば、利用者が模様をアレンジすることができる。
【図面の簡単な説明】
【００１２】
【図１】本考案の第１実施形態によるレースを示した図である。
【図２】図１のレースをアレンジした一例を示した図である。
【図３】図２のレースから編み出してストールを製作した図である。
【図４】本考案の第２実施形態によるレースを示した図である。
【図５】図４のレースをアレンジした一例を示した図である。
【図６】図５のレースから編み出してケープを製作した図である。
【図７】本考案の第３実施形態によるレースを示した図である。
【図８】図７のレースをアレンジした一例を示した図である。
【図９】図７のレースをアレンジした他の例を示した図である。
【考案を実施するための形態】
【００１３】
以下、本考案の実施形態について図面を参照して説明する。
【００１４】
（第１実施形態）
図１は、本考案の第１実施形態によるレース（トーションレース）を示した図である。図２は、図１のレースをアレンジした一例を示した図である。図３は、図２のレースから編み出してストールを製作した図である。
【００１５】
まず、図１〜図３を参照して、第１実施形態によるレース１ａについて説明する。なお、レース１ａは、たとえば、手芸用品であって、被服やカーテンなどの縁飾りとして用いられる。
【００１６】
レース１ａは、図１に示すように、長手方向（Ｘ方向）に延びるように帯状に形成されている。このレース１ａは、長手方向に沿って繰り返し連続的に形成された複数の主模様単位１０ａを備えている。なお、図１では、簡略化のために主模様単位１０ａを６個だけ示したが、実際には、より多数の主模様単位１０ａが設けられている。
【００１７】
主模様単位１０ａは、隣接する主模様単位１０ａとの間（矢印Ｃａ１）が短手方向（Ｙ方向）に切断された場合にほつれが生じないように構成されている。なお、ほつれが生じないようにするのは、接着材により行われていてもよいし、織り方によって行われていてもよい。主模様単位１０ａには、短手方向の両端部に環状部１１ａが形成されている。この環状部１１ａは、レース１ａを被服やカーテンなどに縫い付けるため、または、ここから編み出すために設けられており、長手方向に沿って連続的に設けられている。
【００１８】
また、主模様単位１０ａは、短手方向に沿って配置される複数の副模様単位１２ａを含んでいる。副模様単位１２ａは、撚り糸により連結されるとともに、複数列に分岐されている。副模様単位１２ａは、隣接する副模様単位１２ａとの間（たとえば、矢印Ｃａ２）が長手方向に切断された場合にほつれが生じないように構成されている。また、副模様単位１２ａは、隣接する環状部１１ａとの間が長手方向に切断された場合にほつれが生じないように構成されている。なお、ほつれが生じないようにするのは、接着材により行われていてもよいし、織り方によって行われていてもよい。また、副模様単位１２ａは、レース１ａを構成する模様の最小単位であり、葉っぱの模様や円形状の模様により構成されている。
【００１９】
第１実施形態では、上記のように、隣接する主模様単位１０ａの間で短手方向に切断された場合に、ほつれが生じるのを抑制するとともに、隣接する副模様単位１２ａの間で長手方向に切断された場合にも、ほつれが生じるのを抑制している。これにより、ほつれが生じるのを抑制しながら、利用者がレース１ａを所望の長さに切断するとともに、利用者がレース１ａの模様（形状）をアレンジすることができる。たとえば、矢印Ｃａ２で長手方向に切断することによって、レース１ａを図２に示すようにアレンジすることができる。図２に示すレース１ａから編み出して製作したストールを図３に示した。
【００２０】
また、第１実施形態では、環状部１１ａを両端部に形成することによって、被服やカーテンなどにレース１ａを縫い付けるときに、被服やカーテンなどに対するレース１ａの向きを利用者が選択することができる。編み出して使用する場合も同様に、向きを選択できる。さらに、長手方向に沿って２つに分離されたレース１ａをそれぞれ被服やカーテンなどに縫い付けて用いる、または、環状部１１ａから編み出して用いることができる。
【００２１】
（第２実施形態）
図４は、本考案の第２実施形態によるレース（トーションレース）を示した図である。図５は、図４のレースをアレンジした一例を示した図である。図６は、図５のレースから編み出してケープを製作した図である。
【００２２】
まず、図４〜図６を参照して、第２実施形態によるレース１ｂについて説明する。なお、レース１ｂは、たとえば、手芸用品であって、被服やカーテンなどの縁飾りとして用いられる。
【００２３】
レース１ｂは、図４に示すように、長手方向（Ｘ方向）に延びるように帯状に形成されている。このレース１ｂは、長手方向に沿って繰り返し連続的に形成された複数の主模様単位１０ｂを備えている。なお、図４では、簡略化のために主模様単位１０ｂを６個だけ示したが、実際には、より多数の主模様単位１０ｂが設けられている。
【００２４】
主模様単位１０ｂは、隣接する主模様単位１０ｂとの間（矢印Ｃｂ１）が短手方向（Ｙ方向）に切断された場合にほつれが生じないように構成されている。なお、ほつれが生じないようにするのは、接着材により行われていてもよいし、織り方によって行われていてもよい。主模様単位１０ｂには、短手方向の両端部に環状部１１ｂが形成されている。この環状部１１ｂは、レース１ｂを被服やカーテンなどに縫い付けるため、または、ここから編み出すために設けられており、長手方向に沿って連続的に設けられている。
【００２５】
また、主模様単位１０ｂは、短手方向に沿って配置される複数の副模様単位１２ｂを含んでいる。副模様単位１２ｂは、撚り糸により連結されるとともに、複数列に分岐されている。副模様単位１２ｂは、隣接する副模様単位１２ｂとの間が長手方向に切断された場合にほつれが生じないように構成されている。また、副模様単位１２ｂは、隣接する環状部１１ｂとの間（たとえば、矢印Ｃｂ２）が長手方向に切断された場合にほつれが生じないように構成されている。なお、ほつれが生じないようにするのは、接着材により行われていてもよいし、織り方によって行われていてもよい。また、副模様単位１２ｂは、レース１ｂを構成する模様の最小単位であり、円環状の模様や円形状の模様により構成されている。
【００２６】
第２実施形態では、上記のように、隣接する主模様単位１０ｂの間で短手方向に切断された場合に、ほつれが生じるのを抑制するとともに、隣接する副模様単位１２ｂの間で長手方向に切断された場合にも、ほつれが生じるのを抑制している。これにより、ほつれが生じるのを抑制しながら、利用者がレース１ｂを所望の長さに切断するとともに、利用者がレース１ｂの模様（形状）をアレンジすることができる。たとえば、矢印Ｃｂ２で長手方向に切断することによって、レース１ｂを図５に示すようにアレンジすることができる。図５に示すレース１ｂから編み出して製作したケープを図６に示した。
【００２７】
また、第２実施形態では、環状部１１ｂを両端部に形成することによって、被服やカーテンなどにレース１ｂを縫い付けるときに、被服やカーテンなどに対するレース１ｂの向きを利用者が選択することができる。編み出して使用する場合も同様に、向きを選択できる。さらに、長手方向に沿って２つに分離されたレース１ｂをそれぞれ被服やカーテンなどに縫い付けて用いる、または、環状部１１ｂから編み出して用いることができる。
【００２８】
（第３実施形態）
図７は、本考案の第３実施形態によるレース（トーションレース）を示した図である。図８は、図７のレースをアレンジした一例を示した図である。図９は、図７のレースをアレンジした他の例を示した図である。
【００２９】
まず、図７〜図９を参照して、第３実施形態によるレース１ｃについて説明する。なお、レース１ｃは、たとえば、手芸用品であって、被服やカーテンなどの縁飾りとして用いられる。
【００３０】
レース１ｃは、図７に示すように、長手方向（Ｘ方向）に延びるように帯状に形成されている。このレース１ｃは、長手方向に沿って繰り返し連続的に形成された複数の主模様単位１０ｃを備えている。なお、図７では、簡略化のために主模様単位１０ｃを６個だけ示したが、実際には、より多数の主模様単位１０ｃが設けられている。
【００３１】
主模様単位１０ｃは、隣接する主模様単位１０ｃとの間（矢印Ｃｃ１）が短手方向（Ｙ方向）に切断された場合にほつれが生じないように構成されている。なお、ほつれが生じないようにするのは、接着材により行われていてもよいし、織り方によって行われていてもよい。主模様単位１０ｃには、短手方向の一方端部に環状部１１ｃが形成されている。この環状部１１ｃは、レース１ｃを被服やカーテンなどに縫い付けるため、または、ここから編み出すために設けられており、長手方向に沿って連続的に設けられている。
【００３２】
また、主模様単位１０ｃは、短手方向に沿って配置される複数の副模様単位１２ｃを含んでいる。副模様単位１２ｃは、撚り糸により連結されるとともに、複数列に分岐されている。副模様単位１２ｃは、隣接する副模様単位１２ｃとの間が長手方向に切断された場合にほつれが生じないように構成されている。また、副模様単位１２ｃは、短手方向の他方端部との間（たとえば、矢印Ｃｃ２）が長手方向に切断された場合にほつれが生じないように構成されている。なお、ほつれが生じないようにするのは、接着材により行われていてもよいし、織り方によって行われていてもよい。また、副模様単位１２ｃは、レース１ｃを構成する模様の最小単位である。
【００３３】
第３実施形態では、上記のように、隣接する主模様単位１０ｃの間で短手方向に切断された場合に、ほつれが生じるのを抑制するとともに、隣接する副模様単位１２ｃの間で長手方向に切断された場合にも、ほつれが生じるのを抑制している。これにより、ほつれが生じるのを抑制しながら、利用者がレース１ｃを所望の長さに切断するとともに、利用者がレース１ｃの模様（形状）をアレンジすることができる。たとえば、矢印Ｃｃ２で長手方向に切断することによって、レース１ｃを図８に示すようにアレンジすることができる。また、隣接する副模様単位１２ｃの間で長手方向に切断することによって、レース１ｃを図９に示すようにアレンジすることができる。
【００３４】
（他の実施形態）
なお、今回開示した実施形態は、すべての点で例示であって、限定的な解釈の根拠となるものではない。したがって、本考案の技術的範囲は、上記した実施形態のみによって解釈されるものではなく、実用新案登録請求の範囲の記載に基づいて画定される。また、本考案の技術的範囲には、実用新案登録請求の範囲と均等の意味および範囲内でのすべての変更が含まれる。
【００３５】
たとえば、レースの模様は、上記した第１〜第３実施形態に限定されるものではない。
【００３６】
また、第１〜第３実施形態において、長手方向に切断される位置は、隣接する副模様単位の間であればどこであってもよい。
【符号の説明】
【００３７】
１ａ、１ｂ、１ｃ        レース
１０ａ、１０ｂ、１０ｃ  主模様単位
１１ａ、１１ｂ、１１ｃ  環状部
１２ａ、１２ｂ、１２ｃ  副模様単位
【図１】
0003179509.tif 000003
【図２】
0003179509.tif 000004
【図４】
0003179509.tif 000005
【図５】
0003179509.tif 000006
【図７】
0003179509.tif 000007
【図８】
0003179509.tif 000008
【図９】
0003179509.tif 000009
【図３】
0003179509.tif 000010
【図６】
0003179509.tif 000011
【手続補正書】
【提出日】平成24年8月3日(2012.8.3)
【手続補正１】
【補正対象書類名】実用新案登録請求の範囲
【補正対象項目名】全文
【補正方法】変更
【補正の内容】
【実用新案登録請求の範囲】
【請求項１】
帯状に形成されたレースであって、
長手方向に沿って繰り返し連続的に形成された複数の主模様単位を備え、
前記主模様単位は、接着材または織り方によって隣接する前記主模様単位との間が切断された場合にほつれが生じないように構成され、かつ、短手方向に沿って配置される複数の副模様単位を含み、
前記副模様単位は、接着材または織り方によって隣接する前記副模様単位との間が切断された場合にほつれが生じないように構成されていることを特徴とするレース。
【請求項２】
請求項１に記載のレースにおいて、
前記主模様単位は、短手方向の端部に形成された環状部を含むことを特徴とするレース。
【手続補正２】
【補正対象書類名】明細書
【補正対象項目名】０００７
【補正方法】変更
【補正の内容】
【０００７】
上記した目的を達成するために、本考案によるレースは、帯状に形成されたレースであって、長手方向に沿って繰り返し連続的に形成された複数の主模様単位を備える。主模様単位は、接着材または織り方によって隣接する主模様単位との間が切断された場合にほつれが生じないように構成され、かつ、短手方向に沿って配置される複数の副模様単位を含んでいる。副模様単位は、接着材または織り方によって隣接する副模様単位との間が切断された場合にほつれが生じないように構成されている。
【手続補正書】
【提出日】平成24年9月7日(2012.9.7)
【手続補正１】
【補正対象書類名】実用新案登録請求の範囲
【補正対象項目名】全文
【補正方法】変更
【補正の内容】
【実用新案登録請求の範囲】
【請求項１】
帯状に形成されたレースであって、
長手方向に沿って繰り返し連続的に形成された複数の主模様単位を備え、
前記主模様単位は、接着材または織り構造によって隣接する前記主模様単位との間が切断された場合にほつれが生じないように構成され、かつ、短手方向に沿って配置される複数の副模様単位を含み、
前記副模様単位は、接着材または織り構造によって隣接する前記副模様単位との間が切断された場合にほつれが生じないように構成されていることを特徴とするレース。
【請求項２】
請求項１に記載のレースにおいて、
前記主模様単位は、短手方向の端部に形成された環状部を含むことを特徴とするレース。
【手続補正２】
【補正対象書類名】明細書
【補正対象項目名】０００７
【補正方法】変更
【補正の内容】
【０００７】
上記した目的を達成するために、本考案によるレースは、帯状に形成されたレースであって、長手方向に沿って繰り返し連続的に形成された複数の主模様単位を備える。主模様単位は、接着材または織り構造によって隣接する主模様単位との間が切断された場合にほつれが生じないように構成され、かつ、短手方向に沿って配置される複数の副模様単位を含んでいる。副模様単位は、接着材または織り構造によって隣接する副模様単位との間が切断された場合にほつれが生じないように構成されている。
【手続補正３】
【補正対象書類名】明細書
【補正対象項目名】００１７
【補正方法】変更
【補正の内容】
【００１７】
主模様単位１０ａは、隣接する主模様単位１０ａとの間（矢印Ｃａ１）が短手方向（Ｙ方向）に切断された場合にほつれが生じないように構成されている。なお、ほつれが生じないようにするのは、接着材により行われていてもよいし、織り方（織り構造）によって行われていてもよい。主模様単位１０ａには、短手方向の両端部に環状部１１ａが形成されている。この環状部１１ａは、レース１ａを被服やカーテンなどに縫い付けるため、または、ここから編み出すために設けられており、長手方向に沿って連続的に設けられている。
【手続補正４】
【補正対象書類名】明細書
【補正対象項目名】００１８
【補正方法】変更
【補正の内容】
【００１８】
また、主模様単位１０ａは、短手方向に沿って配置される複数の副模様単位１２ａを含んでいる。副模様単位１２ａは、撚り糸により連結されるとともに、複数列に分岐されている。副模様単位１２ａは、隣接する副模様単位１２ａとの間（たとえば、矢印Ｃａ２）が長手方向に切断された場合にほつれが生じないように構成されている。また、副模様単位１２ａは、隣接する環状部１１ａとの間が長手方向に切断された場合にほつれが生じないように構成されている。なお、ほつれが生じないようにするのは、接着材により行われていてもよいし、織り方（織り構造）によって行われていてもよい。また、副模様単位１２ａは、レース１ａを構成する模様の最小単位であり、葉っぱの模様や円形状の模様により構成されている。